(57)【要約】【課題】ネットワーク上の情報を表示するデータ処理装置であって、それが多くの利用者に供せられるものである場合、ネットワーク上に分散している提示対象の情報を利用者が効率的に把握し取得することが容易ではない。【解決手段】提示対象の情報に対応付けられる関連情報を集約したサマリー情報のＵＲＬを記憶するＲＳＳ情報記憶手段１２に、通信手段１４を介した外部装置から管理者が遠隔操作で当該ＵＲＬを追加・削除する。サマリー情報閲覧手段２０は、ＲＳＳ情報記憶手段１２が記憶するＵＲＬに関するリストを表示し、利用者はその中から選択したサマリー情報により提示対象の情報にアクセスすることができる。【選択図】図２
2007115137.tif 000002
【特許請求の範囲】
【請求項１】
ネットワーク上での実体情報の所在を示す実体参照情報に基づいて当該実体情報を取得し表示出力するデータ処理装置において、
前記実体情報に対応付けられる関連情報を集約したサマリー情報に関し、前記ネットワーク上での所在を示すサマリー参照情報を記憶するサマリー参照情報記憶手段と、
前記サマリー参照情報に従って前記サマリー情報を取得するサマリー情報取得手段と、
取得した前記サマリー情報が含む前記実体参照情報に基づいて前記実体情報を取得する実体情報取得手段と、
を有し、
前記サマリー参照情報記憶手段は、通信手段を介した外部装置からの遠隔操作に基づいて、前記サマリー参照情報を追加及び削除可能に構成されること、
を特徴とするデータ処理装置。
【請求項２】
請求項１に記載のデータ処理装置において、
前記サマリー参照情報記憶手段は、個々の利用者に対応付けられた前記サマリー参照情報である個別サマリー参照情報と、個々の利用者に対応付けられていない前記サマリー参照情報である一般サマリー参照情報と、を記憶すると共に、特定権限者が通信手段を介した遠隔操作に基づいて前記一般サマリー参照情報を追加及び削除可能に構成されること、
を特徴とするデータ処理装置。
【請求項３】
ネットワーク上での実体情報の所在を示す実体参照情報に基づいて当該実体情報を取得し表示出力するデータ処理装置において、
前記実体情報に対応付けられる関連情報を集約したサマリー情報に関し、前記ネットワーク上での所在を示すサマリー参照情報を記憶するサマリー参照情報記憶手段と、
前記サマリー参照情報に従って前記サマリー情報を取得するサマリー情報取得手段と、
取得した前記サマリー情報が含む前記実体参照情報に基づいて前記実体情報を取得する実体情報取得手段と、
を有し、
前記サマリー参照情報記憶手段は、予め設定されたソースサマリー参照情報と、個々の利用者が追加及び削除可能な前記サマリー参照情報である個別サマリー参照情報と、個々の利用者が追加及び削除不可能な前記サマリー参照情報である一般サマリー参照情報と、を記憶し、
前記サマリー情報取得手段は、前記ソースサマリー参照情報に従って自動的に、前記一般サマリー参照情報からなるソースサマリー情報を取得すること、
を特徴とするデータ処理装置。
【請求項４】
請求項１から請求項３のいずれか１つに記載のデータ処理装置において、
前記サマリー参照情報記憶手段に記憶された１又は複数の前記サマリー参照情報のうち少なくとも一部に関して前記サマリー情報のリストを表示するリスト表示手段を有すること、を特徴とするデータ処理装置。
【請求項５】
請求項４に記載のデータ処理装置において、
利用者を識別する利用者識別手段を有し、
前記サマリー参照情報記憶手段は、前記サマリー情報それぞれについて、その取得権限を与えられた前記利用者を前記サマリー参照情報に対応付けて記憶し、
前記リスト表示手段は、前記利用者識別手段にて識別された前記利用者に対応する前記サマリー情報のリストを表示すること、
を特徴とするデータ処理装置。
【請求項６】
請求項４に記載のデータ処理装置において、
利用者を識別する利用者識別手段を有し、
前記サマリー参照情報記憶手段は、１又は複数の前記利用者に対応付けられたアカウント毎にアカウント別サマリー参照情報記憶手段を有し、
前記アカウント別サマリー参照情報記憶手段は、前記アカウントに属する前記各利用者が取得権限を有する前記サマリー情報に関する前記サマリー参照情報を記憶し、
前記リスト表示手段は、前記利用者識別手段にて識別された前記利用者に対応する前記アカウント別サマリー参照情報記憶手段に記憶された前記サマリー参照情報についての前記サマリー情報のリストを表示すること、
を特徴とするデータ処理装置。
【請求項７】
請求項１から請求項６のいずれか１つに記載のデータ処理装置において、
前記サマリー情報が含む前記実体参照情報に対応する前記実体情報のうち、当該データ処理装置が表示出力可能なものを選別する実体情報選別手段と、
前記実体情報選別手段により選別された前記実体情報の前記関連情報を選択的に表示する関連情報表示手段と、
を有することを特徴とするデータ処理装置。
【請求項８】
コンピュータに、
ネットワーク上での実体情報の所在を示す実体参照情報に基づいて当該実体情報を取得させ表示出力させるプログラムであって、
前記実体情報に対応付けられる関連情報を集約したサマリー情報に関し、前記ネットワーク上での所在を示すサマリー参照情報を記憶するサマリー参照情報記憶手順と、
前記サマリー参照情報に従って前記サマリー情報を取得するサマリー情報取得手順と、
取得した前記サマリー情報が含む前記実体参照情報に基づいて前記実体情報を取得する実体情報取得手順と、
を実行させ、
前記サマリー参照情報記憶手順は、通信手段を介した外部装置からの遠隔操作に基づいて、前記サマリー参照情報を追加及び削除可能であること、
を特徴とするデータ処理プログラム。
【請求項９】
コンピュータに、
ネットワーク上での実体情報の所在を示す実体参照情報に基づいて当該実体情報を取得させ表示出力させるプログラムであって、
前記実体情報に対応付けられる関連情報を集約したサマリー情報に関し、前記ネットワーク上での所在を示すサマリー参照情報を記憶するサマリー参照情報記憶手順と、
前記サマリー参照情報に従って前記サマリー情報を取得するサマリー情報取得手順と、
取得した前記サマリー情報が含む前記実体参照情報に基づいて前記実体情報を取得する実体情報取得手順と、
を実行させ、
前記サマリー参照情報記憶手順は、予め設定されたソースサマリー参照情報と、個々の利用者が追加及び削除可能な前記サマリー参照情報である個別サマリー参照情報と、個々の利用者が追加及び削除不可能な前記サマリー参照情報である一般サマリー参照情報と、を記憶し、
前記サマリー情報取得手順は、前記ソースサマリー参照情報に従って自動的に、前記一般サマリー参照情報からなるソースサマリー情報を取得すること、
を特徴とするデータ処理プログラム。
【発明の詳細な説明】
【技術分野】
【０００１】
本発明は、Ｗｅｂサイト等、ネットワーク上の情報（リソース）を取得し表示出力するデータ処理装置に関する。
【背景技術】
【０００２】
ネットワークに接続されたコンピュータの利用者は、ＵＲＬ（Uniform Resource Locator）で指し示される場所に保持されたリソースにアクセスし、当該リソースを画面表示や印刷により表示出力し取得することができる。近年では、所定の関連性を有した複数のＷｅｂサイトのＵＲＬやタイトル等の情報をまとめたＲＳＳというサマリー情報が提供され、利用者はこのＲＳＳを指し示すＵＲＬにアクセスして当該ＲＳＳを取得することで、ネットワーク上に分散した複数のＷｅｂサイトの最新情報の取得やアクセスを効率的に行うことができる。
【０００３】
また、ネットワーク上のリソースを利用する処理装置には、もっぱら不特定のもしくは特定多数の利用者を対象として、ネットワーク上のリソースを画面表示や印刷により提示するものも提案されている。
【特許文献１】特開平１１−３１２０６９号公報
【特許文献２】特開２０００−１０８４２６号公報
【特許文献３】特開２００２−３５１９１６号公報
【特許文献４】特開平１０−１７８４４３号公報
【特許文献５】特公平７−９５２５５号公報
【発明の開示】
【発明が解決しようとする課題】
【０００４】
上述の不特定多数又は特定多数の利用者を対象とする利用形態のデータ処理装置では、個々の利用者の利用時間が比較的短時間に制限されることや、操作手段の制限などから、当該装置により提示しようとするリソースがネットワーク上に分散して存在する場合に、利用者がそれらリソースを効率的に把握し取得することが容易ではないという問題があった。
【０００５】
本発明は上述の問題点を解決するためになされたものであり、利用者に提示しようとする情報がネットワーク上に分散して存在する場合にも、利用者が簡便な操作でそれら情報の中から自分が必要とするものを見つけ出し、取得することを可能とするデータ処理装置を提供することを目的とする。
【課題を解決するための手段】
【０００６】
本発明に係るデータ処理装置は、ネットワーク上での実体情報の所在を示す実体参照情報に基づいて当該実体情報を取得し表示出力するものであって、前記実体情報に対応付けられる関連情報を集約したサマリー情報に関し、前記ネットワーク上での所在を示すサマリー参照情報を記憶するサマリー参照情報記憶手段と、前記サマリー参照情報に従って前記サマリー情報を取得するサマリー情報取得手段と、取得した前記サマリー情報が含む前記実体参照情報に基づいて前記実体情報を取得する実体情報取得手段と、を有し、前記サマリー参照情報記憶手段が、通信手段を介した外部装置からの遠隔操作に基づいて、前記サマリー参照情報を追加及び削除可能に構成されるものである。
【０００７】
他の本発明に係るデータ処理装置においては、前記サマリー参照情報記憶手段が、個々の利用者に対応付けられた前記サマリー参照情報である個別サマリー参照情報と、個々の利用者に対応付けられていない前記サマリー参照情報である一般サマリー参照情報と、を記憶すると共に、特定権限者が通信手段を介した遠隔操作に基づいて前記一般サマリー参照情報を追加及び削除可能に構成される。
【０００８】
別の本発明に係るデータ処理装置は、ネットワーク上での実体情報の所在を示す実体参照情報に基づいて当該実体情報を取得し表示出力するものであって、前記実体情報に対応付けられる関連情報を集約したサマリー情報に関し、前記ネットワーク上での所在を示すサマリー参照情報を記憶するサマリー参照情報記憶手段と、前記サマリー参照情報に従って前記サマリー情報を取得するサマリー情報取得手段と、取得した前記サマリー情報が含む前記実体参照情報に基づいて前記実体情報を取得する実体情報取得手段と、を有し、前記サマリー参照情報記憶手段が、予め設定されたソースサマリー参照情報と、個々の利用者が追加及び削除可能な前記サマリー参照情報である個別サマリー参照情報と、個々の利用者が追加及び削除不可能な前記サマリー参照情報である一般サマリー参照情報と、を記憶し、前記サマリー情報取得手段が、前記ソースサマリー参照情報に従って自動的に、前記一般サマリー参照情報からなるソースサマリー情報を取得するものである。
【０００９】
また他の本発明に係るデータ処理装置はさらに、前記サマリー参照情報記憶手段に記憶された１又は複数の前記サマリー参照情報のうち少なくとも一部に関して前記サマリー情報のリストを表示するリスト表示手段を有するものである。
【００１０】
他の本発明に係るデータ処理装置においては、さらに、利用者を識別する利用者識別手段を有し、前記サマリー参照情報記憶手段が、前記サマリー情報それぞれについて、その取得権限を与えられた前記利用者を前記サマリー参照情報に対応付けて記憶し、前記リスト表示手段が、前記利用者識別手段にて識別された前記利用者に対応する前記サマリー情報のリストを表示する。
【００１１】
また別の本発明に係るデータ処理装置は、利用者を識別する利用者識別手段を有し、前記サマリー参照情報記憶手段が、１又は複数の前記利用者に対応付けられたアカウント毎にアカウント別サマリー参照情報記憶手段を有し、前記アカウント別サマリー参照情報記憶手段が、前記アカウントに属する前記各利用者が取得権限を有する前記サマリー情報に関する前記サマリー参照情報を記憶し、前記リスト表示手段が、前記利用者識別手段にて識別された前記利用者に対応する前記アカウント別サマリー参照情報記憶手段に記憶された前記サマリー参照情報についての前記サマリー情報のリストを表示する。
【００１２】
別の本発明に係るデータ処理装置においてはさらに、前記サマリー情報が含む前記実体参照情報に対応する前記実体情報のうち、当該データ処理装置が表示出力可能なものを選別する実体情報選別手段と、前記実体情報選別手段により選別された前記実体情報の前記関連情報を選択的に表示する関連情報表示手段と、を有する。
【００１３】
本発明に係るデータ処理プログラムは、コンピュータに、ネットワーク上での実体情報の所在を示す実体参照情報に基づいて当該実体情報を取得させ表示出力させるプログラムであって、前記実体情報に対応付けられる関連情報を集約したサマリー情報に関し、前記ネットワーク上での所在を示すサマリー参照情報を記憶するサマリー参照情報記憶手順と、前記サマリー参照情報に従って前記サマリー情報を取得するサマリー情報取得手順と、取得した前記サマリー情報が含む前記実体参照情報に基づいて前記実体情報を取得する実体情報取得手順と、を実行させ、前記サマリー参照情報記憶手順が、通信手段を介した外部装置からの遠隔操作に基づいて、前記サマリー参照情報を追加及び削除可能であるプログラムである。
【００１４】
別の本発明に係るデータ処理プログラムは、コンピュータに、ネットワーク上での実体情報の所在を示す実体参照情報に基づいて当該実体情報を取得させ表示出力させるプログラムであって、前記実体情報に対応付けられる関連情報を集約したサマリー情報に関し、前記ネットワーク上での所在を示すサマリー参照情報を記憶するサマリー参照情報記憶手順と、前記サマリー参照情報に従って前記サマリー情報を取得するサマリー情報取得手順と、取得した前記サマリー情報が含む前記実体参照情報に基づいて前記実体情報を取得する実体情報取得手順と、を実行させ、前記サマリー参照情報記憶手順が、予め設定されたソースサマリー参照情報と、個々の利用者が追加及び削除可能な前記サマリー参照情報である個別サマリー参照情報と、個々の利用者が追加及び削除不可能な前記サマリー参照情報である一般サマリー参照情報と、を記憶し、前記サマリー情報取得手順が、前記ソースサマリー参照情報に従って自動的に、前記一般サマリー参照情報からなるソースサマリー情報を取得するプログラムである。
【発明の効果】
【００１５】
本発明に係るデータ処理装置又はデータ処理プログラムによれば、利用者はＲＳＳ等のサマリー情報を介して、提示対象となるＷｅｂサイト等のうちまとまりを有するものについて、最新情報を含み得る関連情報を一括して取得できるので、ネットワーク上に分散する情報を容易に把握して利用することができる。データ処理装置に記憶されるサマリー情報を参照するためのＵＲＬ等の情報は、例えば管理者が外部装置から通信手段を介して当該データ処理装置にアクセスして追加、削除が可能である。すなわち、データ処理装置の設置場所や台数に関わらず、利用者に提示される情報の追加、削除等の変更が容易・迅速に行われ、情報提示側の管理が容易であると共に、利用者に新しい情報を速やかに提供することができる。
【００１６】
また、サマリー情報に記載された情報のうち当該装置で利用できないリソースは表示出力されないので、利用者は利用できる情報のみが表示され便利である一方、サマリー情報の作成者は当該装置と他のクライアント向けにサマリー情報を作り分ける必要がなく、作業負担が軽減される。
【００１７】
サマリー情報のＵＲＬ等のサマリー参照情報は、当該装置の利用者と対応付けられ、又はアカウント毎に記憶されるので、利用者毎に、関係のあるリソースのみが一覧表示されて、利用者の利便性が増す。
【発明を実施するための最良の形態】
【００１８】
以下、本発明の実施の形態（以下実施形態という）について、図面に基づいて説明する。
【００１９】
［第１の実施形態］
本実施形態は、本発明に係るデータ処理装置として複合機を含んで構成される。図１は本実施形態に係るネットワークシステムの概略の構成図であり、複合機（ＭＦＰ：Multi Function Printer）２の他、Ｗｅｂサーバ４、管理者コンピュータ（管理者ＰＣ）６がネットワーク８に接続されている。
【００２０】
まず、サマリー情報とは、特定の主題のもと、ネットワーク上に分散するリソースを属性の情報と共に、例えばRDF Site Summary 1.0（ＲＳＳ１．０）等の所定の形式で一覧にまとめたデータである。ＲＳＳは、サマリー情報の表現形式の意味と、当該形式で表されたサマリー情報そのものの意味とがあり、以下の説明では、単にＲＳＳとの記載はサマリー情報そのものを指す意味で用いている。
【００２１】
図２は、ＭＦＰ２の概略の構成を示す機能ブロック図であり、ＭＦＰ２はユーザーインターフェース（ＵＩ）１０、ＲＳＳ情報記憶手段１２、通信手段１４、ＲＳＳ情報遠隔編集手段１６、利用者認証手段１８、サマリー情報閲覧手段２０、ブラウズ手段２２、印刷手段２４を含んで構成される。
【００２２】
ＵＩ１０は、例えば、タッチパネルを備えた液晶ディスプレイであり、液晶ディスプレイによりＭＦＰ２の利用者に対して操作画面を表示すると共に、タッチパネルにより利用者の操作指示を取り込む。
【００２３】
ＲＳＳ情報記憶手段１２は、ＲＳＳを参照するための参照情報であるＵＲＬを、ＲＳＳの関連情報の一つであるタイトルや、当該ＲＳＳの取得権限を認められたユーザーと対応付けて、例えばテーブル形式で記憶する。図３はそのＲＳＳテーブルの一例を示す説明図であり、この図ではＲＳＳのＵＲＬとユーザーとの対応関係が示されている。この図には示していないが当該テーブルには、上述のタイトルやその他の情報がＲＳＳ毎に対応付けて記憶され得る。ちなみに、タイトルはＵＩ１０に表示され、ユーザーはこのタイトルによりＲＳＳを識別できる。なお、ＲＳＳ情報記憶手段１２はハードディスクや半導体メモリ等の記憶装置を用いて構成され、ＭＦＰ２に備えたＣＰＵで実行されるプログラムにより制御される。
【００２４】
通信手段１４は、ネットワーク８に接続された他の装置と通信するための手段であり、後述するように、例えば、Ｗｅｂサーバ４からＲＳＳを取得する際等に機能する。通信手段１４は、ネットワーク８との接続機器及び通信制御等を行うプログラムから構成される。
【００２５】
ＲＳＳ情報遠隔編集手段１６は、ネットワーク８に接続された端末装置から管理者の指示に応じて、ＲＳＳ情報記憶手段１２のＲＳＳテーブルにＲＳＳのＵＲＬ等の関連情報を追記したり削除する編集処理を行う。
【００２６】
利用者認証手段１８は、利用者がＲＳＳ情報記憶手段１２に関連情報を登録されたＲＳＳの参照を行う際に、当該利用者が入力する情報に基づいて認証を行い、ＲＳＳテーブルに記憶されたユーザー情報に基づいて当該利用者に認められたサービスの提供を可能とする。
【００２７】
サマリー情報閲覧手段２０は、ＲＳＳ情報記憶手段１２が記憶するＲＳＳのＵＲＬに基づいて、ネットワーク８に接続された装置、例えばＷｅｂサーバ４から当該ＲＳＳを取得し、所定形式で利用者へ提示する。
【００２８】
ＲＳＳに従って取得したリソースが例えば、ＨＴＭＬ文書である場合は、ブラウズ手段２２がＨＴＭＬ文書を表示する。また、取得したリソースが印刷用文書、たとえばＰｏｓｔＳｃｒｉｐｔ文書（ＰｏｓｔＳｃｒｉｐｔはアドビシステムズ社の登録商標）である場合は、利用者の印刷指示に基づいて印刷手段２４が当該リソースを印刷する。
【００２９】
上述のＲＳＳ情報遠隔編集手段１６、利用者認証手段１８、サマリー情報閲覧手段２０、ブラウズ手段２２はＭＦＰ２に備えたＣＰＵで実行されるプログラムにより実現することができる。印刷手段２４は印刷機構とそれを制御するプログラムにより実現することができる。
【００３０】
次に、ＭＦＰ２を用いたネットワーク８上のリソースの表示出力の動作について、具体例に基づいて説明する。
【００３１】
利用者「山田」がＭＦＰ２の例えばＵＩ１０により構成されるコントロールパネルを操作してサマリーの参照を指示したとする。すると、まず利用者認証手段１８が、利用者の認証を行う。利用者がユーザー「yamada」として登録された者であることが認証されると、ＲＳＳテーブルを検索し、ユーザー情報「yamada」に対応付けられたＵＲＬのみを取り出しサマリー情報閲覧手段２０にサマリーの表示を指示する。具体的には、図３に示すＲＳＳテーブルより、ユーザー「yamada」がサマリー情報の取得権限を有する“http://foo.fujixerox.co.jp/rss/rss1.xml”と“http://bar.fujixerox.co.jp/rss/pri-rss.xml”がサマリー情報閲覧手段２０に渡される。
【００３２】
サマリー情報閲覧手段２０は、それぞれのＵＲＬで特定されるサマリー情報を通信手段１４を用いてネットワーク８から取得し、取得されたサマリー情報に記載された項目を所定の形態で表示する。図４は、ＵＲＬ“http://foo.fujixerox.co.jp/rss/rss1.xml”に基づいて取得されたサマリー情報の一例のＸＭＬによる記述を示す説明図であり、図５は、“http://bar.fujixerox.co.jp/rss/pri-rss.xml”に基づいて取得されたサマリー情報の一例のＸＭＬによる記述を示す説明図である。
【００３３】
サマリー情報閲覧手段２０は、図４や図５の記述にて、item要素で示される各項目のうち、ＭＦＰ２にて処理可能であるもののみを抽出し、ＵＩ１０に一覧表示する。ＭＦＰ２にて処理可能であるか否かは、例えば、ns1:mfReady要素の値が“true”であることに基づいて判断することができる。この他、表示処理対象となるファイルの識別子に基づいて、ＭＦＰ２にて処理可能であるか否かを判断するように構成することもできる。例えば、ＭＦＰ２では識別子“html”で示されるＨＴＭＬファイルや識別子“ps”で示されるＰｏｓｔＳｃｒｉｐｔファイルを処理可能と判断し、識別子“mpeg”で示されるような動画ファイルなどを処理対象外とし得る。図６はサマリー情報閲覧手段２０によってＵＩ１０に表示されたＲＳＳのリストの一例を示す模式図である。サマリー情報閲覧手段２０は、例えば、ＭＦＰ２にて処理可能として抽出した項目３０をdc:date要素で示される日時に従ってソートした結果をリスト表示する。図６の表示例では、リストの各項目はtitle要素で指定されるタイトル文字列、及びchannel要素内のtitle要素で示されるＲＳＳのタイトル文字列の組み合わせから構成され、さらにdc:date要素で特定される時刻が所定の期間内である場合には「New」の文字がリストの当該項目の記載に追加される。
【００３４】
なお、ここでは利用者がサマリーの参照を指示したことをもってサマリー情報の取得を行っているが、あらかじめ定期的にサマリー情報を取得しておいてもよい。さらには、サマリー情報に更新頻度情報を含め、その更新頻度情報に従ってサマリー情報を更新すると良い。
【００３５】
ここで、利用者の「山田」が一覧表示されたアイテムより「新春フェア・パンフレット」を選択すると、図４中のdescription要素で示されるその項目の説明が下段の表示欄３２に表示される。
【００３６】
さらに ＯＰＥＮボタン３４をタッチすることで、その項目の取得を指示すると、サマリー情報閲覧手段２０は対応するＵＲＬで特定されるリソースをネットワーク８から取得する。取得したリソースが例えば、ＨＴＭＬ文書である場合は、ブラウズ手段２２を用いて当該ＨＴＭＬ文書を画面表示する。また、取得したリソースが印刷用文書、たとえばＰｏｓｔＳｃｒｉｐｔ文書である場合は、図７に示すような印刷ダイアログ画面を表示して利用者の印刷指示を待ち、スタートボタン４０の押下をうけて、当該文書を印刷手段２４にて印刷する。
【００３７】
このようにして、利用者の「山田」は複数のＷｅｂサイトに分散して存在するリソースの状況をひと目で把握し、必要な情報を発見して表示もしくは印刷できる。ＲＳＳに含まれる項目のうちＭＦＰ２で扱うことのできないデータ形式の項目などはあらかじめ除去してＵＩ１０にリスト表示されるので、利用者がそのＭＦＰ２で利用できない情報に煩わされることが防止される。
【００３８】
既存の主題に関してネットワーク８上のリソースが追加、変更、削除された場合、管理者は当該主題に関するＲＳＳの内容を更新すれば良く、例えば、ネットワーク８に複数のＭＦＰ２が接続される場合にそれぞれのＭＦＰ２に対して更新作業を行う必要がない。これにより、複数のＭＦＰ２を管理する場合の手間が大きく軽減される。さらに、ＲＳＳに含まれる項目のうちＭＦＰ２で扱うことのできないデータ形式の項目などは、上述のようにあらかじめ除去してリスト表示されるので、管理者はＲＳＳを作成、更新する場合に、パーソナルコンピュータ等のＲＳＳリーダ向けとＭＦＰ２用とでＲＳＳを作り分ける手間が不要である。
【００３９】
さて、ここで管理者が、新たな主題である「ＩＳＯ１４０００」 について、その情報を社員から容易にアクセス可能とすべく、「ＩＳＯ１４０００」に関するサマリー情報を作成したとする。管理者は、当該サマリー情報のＵＲＬをＭＦＰ２に登録すべく、管理者ＰＣ６を操作しサマリー情報管理ソフトウェアを起動する。
【００４０】
サマリー情報管理ソフトウェアは、まずログイン画面を表示し、操作するＭＦＰ２のネットワークアドレス、ユーザー名、パスワードの入力を求める。図８は、ログイン画面の一例を示す模式図である。管理者が、アドレス、ユーザー名、パスワードを入力して接続ボタン５０をクリックすると、サマリー情報管理ソフトウェアは、指定されたＭＦＰ２と通信しユーザー名、パスワードでユーザー認証を行い、次に ＲＳＳテーブルの読み出しを指示する。ＭＦＰ２は、ユーザー名、パスワードに基づいてアクセス者がＭＦＰ２の管理者であると認証すると、ＲＳＳ情報遠隔編集手段１６が続くＲＳＳテーブルの読み出し指示を受けて、ＲＳＳテーブルの全ての中身を返信する。
【００４１】
サマリー情報管理ソフトウェアは、ＭＦＰ２から返信されたＲＳＳテーブルの内容を編集画面に一覧表示する。図９は、当該編集画面の一例を示す模式図である。なお、同図に示す「title」 は、ＵＲＬで示されるＲＳＳの扱う主題を管理者に示すためのものであり、返信されたＵＲＬに従って取得したＲＳＳのchannel要素の中のtitle要素の値である。
【００４２】
ここで、管理者は追加データ欄６０に、追加したいサマリー情報のＵＲＬ、例えば“http://hoge.fujixerox.co.jp/iso14000/iso14000.rss”を入力し、さらに対応付けるべきユーザーとして全ユーザーと入力し、追加ボタン６２をクリックし、追加を指示する。  
【００４３】
指示を受けたサマリー情報管理ソフトウェアは、サマリー情報のＵＲＬと対応付けるユーザーの名前をＭＦＰ２に送信してサマリー情報の追加を指示する。
【００４４】
ＭＦＰ２は、サマリー情報追加の指示をうけると、ＲＳＳ情報遠隔編集手段１６が指定されたサマリー情報のＵＲＬと、これに対応付けるユーザーの名前との組みをＲＳＳテーブルに追加登録する。図１０は、追加登録後のＲＳＳテーブルを示す説明図である。ＲＳＳテーブルに登録された４つのサマリー情報のＵＲＬのうち、ユーザー「yamada」が取得権限を有するものは、“http://foo.fujixerox.co.jp/rss/rss1.xml”、“http://bar.fujixerox.co.jp/rss/pri-rss.xml”、“http://hoge.fujixerox.co.jp/iso14000/iso14000.rss”の３つとなる。図１１は、上記追加後に利用者「山田」がＭＦＰ２のコントロールパネルを操作してサマリーの参照を指示した場合に、サマリー情報閲覧手段２０によってＵＩ１０に表示されるＲＳＳのリストを示す模式図である。この図に示すように、リストには、新たに追加された「ＩＳＯ１４０００」に関する情報が表示される。
【００４５】
このようにして、管理者は管理者ＰＣ６からＭＦＰ２のＲＳＳテーブルにサマリー情報のＵＲＬを追加でき、その結果、新たな主題である「ＩＳＯ１４０００」について、その情報を社員がＭＦＰ２から容易にアクセス可能になる。
【００４６】
なお、上述の構成では、ＲＳＳ情報記憶手段１２に記憶されるＵＲＬに、当該ＵＲＬに対応するＲＳＳを取得する権限を有するユーザー情報を対応付けて記憶している。このほか、権限を有する利用者毎又は利用者のグループ毎にアカウントを設定し、そのアカウント別にＲＳＳ情報記憶手段１２を構成しても良い。例えば、記憶装置において、アカウント別にフォルダを設け、各フォルダにＵＲＬ等を格納する構成とすることができる。
【００４７】
［第２の実施形態］
本実施形態は、本発明に係るデータ処理装置として電子ポスターを含んで構成される。電子ポスターとは、大型の表示装置に掲示すべき情報を表示する装置である。図１２は本実施形態に係るネットワークシステムの概略の構成図であり、複数台の電子ポスター７０の他、Ｗｅｂサーバ４、管理者コンピュータ（管理者ＰＣ）６がネットワーク８に接続されている。
【００４８】
図１３は、電子ポスター７０の概略の構成を示す機能ブロック図であり、電子ポスター７０はＵＩ１０、ＲＳＳ情報記憶手段１２、通信手段１４、ＲＳＳ情報遠隔編集手段１６、表示手段７２、サマリー情報閲覧手段２０、ブラウズ手段２２、記憶手段７４を含んで構成される。なお、上記第１の実施形態と同様の機能を有する構成要素には同一の符号を付し、説明の簡素化を図る。
【００４９】
表示手段７２は、液晶表示装置等であり、例えば、比較的大きな画面に構成すると利用者にとって見やすく便利である。また、表示手段７２はＵＩ１０が有する表示機能と兼用することもできる。
【００５０】
記憶手段７４は、ネットワーク８から取得したサマリー情報を記憶する記憶装置であり、例えば、ハードディスクや半導体メモリ等で構成され、ＭＦＰ２に備えたＣＰＵで実行されるプログラムにより制御される。
【００５１】
次に、電子ポスター７０を用いたネットワーク８上のリソースの表示出力の動作について、具体例に基づいて説明する。
【００５２】
まず、サマリー情報閲覧手段２０はＲＳＳ情報記憶手段１２に記憶されたサマリー情報のＵＲＬに従い全てのサマリー情報を取得し、記憶手段７４に記憶する。サマリー情報閲覧手段２０は、サマリー情報に所定の形式で更新時期が指定されている場合には指定された更新時期で、一方、更新時期が指定されていない場合にはあらかじめ定めた所定の間隔で、それぞれのサマリー情報を再取得し記憶手段７４に記憶されたサマリー情報を更新する。
【００５３】
その一方で、サマリー情報閲覧手段２０は所定のタイミング（例えば一定の時間間隔）で、全てのサマリー情報に記述された項目から所定のルールに従って表示すべき項目を選択し、選択された項目にあたるネットワーク８上のリソースをネットワーク８から取得して表示手段７２に表示する。所定のルールとしては、例えばその項目を当該装置で表示した延べ時間、その項目の属性の一つとして所定の書式で記述された重要度、あるいはその項目がサマリー情報に新たに現れた項目である否か、といった条件を元に選択するものとすることができる。
【００５４】
サマリー情報閲覧手段２０は、さらに項目を切り替える際に、過去に表示した項目をサムネイル画像として表示手段７２の画面下部に所定の個数表示する。サムネイル画像は、当該項目に、thumbnail 要素の形でサムネイル画像のＵＲＬが属性として指定されている場合は、そのサムネイル画像をＵＲＬに従って取得して表示し、指定されていない場合は表示した情報の画像データを縮小して表示する。
【００５５】
表示手段７２の画面はタッチパネルになっており、利用者がタッチパネルを操作して、表示されたサムネイル画像をタッチして再表示を指示すると、現在の表示を中断し指定された項目にあたるネットワーク８上のリソースをネットワーク８から取得して表示手段７２に表示する。
【００５６】
例えば、総務部が全社に伝達すべき情報を一覧にとりまとめたサマリー情報を“http://foo.fujixerox.co.jp/general/rss1.rss”に取りまとめており、営業本部が、全営業部門向けに伝達すべき情報を一覧にとりまとめたサマリー情報を“http://bar.fujixerox.co.jp/sales-division/sales.rss”に取りまとめているとする。そして、電子ポスター７０-1，７０-2のＲＳＳ情報記憶手段１２には、両ＵＲＬがあらかじめ記憶されているものとする。すると、電子ポスター７０-1，７０-2のいずれにも両サマリー情報に記述された情報が順次表示される。
【００５７】
ここで例えば、総務部門が、「総務ニュース２４０号」なる新たなＨＴＭＬ文書を全社に伝達する場合、総務部の管理するサマリー情報“http://foo.fujixerox.co.jp/general/rss1.rss”に当該ＨＴＭＬ文書の情報を追加するだけでよい。この追加により、各電子ポスター７０には図１４に例示するような「総務ニュース２４０号」の表示がなされる。
【００５８】
さて、電子ポスター７０-1の設置場所である営業１課の管理者が、自分の管理者ＰＣ６-1のＷｅｂブラウザソフトを操作して、ユーザー、パスワードを入力し、ユーザー名「営業１課」として、電子ポスター７０-1に接続したとする。そのｈｔｔｐリクエストを受けて電子ポスター７０-1では、ＲＳＳ情報遠隔編集手段１６がＲＳＳ情報編集画面のＨＴＭＬを生成して管理者ＰＣ６-1へ返信する。これを受けて、管理者ＰＣ６-1は、電子ポスター７０-1から返信されたＲＳＳテーブルの内容を含んだ編集画面を画面表示する。図１５は、当該編集画面の一例を示す模式図である。
【００５９】
ここで、管理者は追加データ欄８０に、追加したいサマリー情報のＵＲＬを入力し、追加ボタン８２をクリックし、追加を指示する。すると、ｈｔｔｐリクエストが電子ポスター７０-1に送信され、それを受けて電子ポスター７０-1のＲＳＳ情報遠隔編集手段１６はＲＳＳ情報記憶手段１２に入力されたＵＲＬを追加し、更新されたＲＳＳ情報編集画面のＨＴＭＬを生成して管理者ＰＣ６-1へ返信する。図１６は、追加・更新後に管理者ＰＣ６-1のブラウザに表示される当該編集画面の一例を示す模式図である。同図に示すように、電子ポスター７０-1には、追加されたＵＲＬ“http://bar.fujixerox.co.jp/sales/sales-1/public.rss”で取得されるサマリー情報に記述されたネットワーク８上のリソースが、従来表示されていたリソースに加えて表示されるようになる。一方、上記ＵＲＬの追加がされなかった電子ポスター７０-2は、ＲＳＳ情報記憶手段１２に記憶されたＵＲＬに変更はない。
【００６０】
従って、例えば営業１課の全員に「キックオフミーティング」なるＨＴＭＬ文書を伝達すべく、“http://bar.fujixerox.co.jp/sales/sales-1/public.rss”に前記ＨＴＭＬ文書の情報を記述していたとすると、電子ポスター７０-1には、図１７に例示するような表示がなされる一方で、電子ポスター７０-2にはそのような表示がなされることはない。
【００６１】
また、「本社経理部」が全社に伝達すべき情報を一覧にとりまとめたサマリー情報を作成したとする。その場合、本社経理部の管理者は、自己の管理者ＰＣ６-2のウェブブラウザを操作して、まず電子ポスター７０-1に接続し、上述した手順と同様にしてサマリー情報のＵＲＬを登録し、次に電子ポスター７０-2に接続して同様の手順によりサマリー情報のＵＲＬを登録する。すると、電子ポスター７０-1，７０-2のいずれにも前記サマリー情報に記載のリソースが表示されるようになる。すなわち、このようにしてネットワーク８を経由して複数の電子ポスターを管理することができる。
【００６２】
なお、ここではＨＴＴＰプロトコルを用いＷｅｂブラウザを用いて操作するように構成したが、ＨＴＴＰプロトコル以外のプロトコルでもよい。また、手操作でそれぞれの電子ポスターに編集操作をおこなっているが、自動化して複数の電子ポスターに対して一括して操作できるよう構成してもよい。
【００６３】
［第３の実施形態］
本実施形態は、利用者に報知すべく管理者がネットワーク上に用意した複数のリソースに関し、利用者がその最新情報を容易にかつ誤り無く利用可能とするシステムである。図１８は本実施形態に係るネットワークシステムの概略の構成図であり、利用者が使用するクライアントＰＣ９０の他、Ｗｅｂサーバ４、ＲＳＳ情報サーバ９２がネットワーク８に接続されている。以下、上記第１、第２の実施形態と同様の機能を有する構成要素には同一の符号を付し、説明の簡素化を図る。
【００６４】
クライアントＰＣ９０上で動作するサマリー情報リーダソフトウェア（サマリー情報閲覧手段２０）は、ＲＳＳ情報記憶手段１２に記憶されたサマリー情報のＵＲＬを元にサマリー情報を取得し所定の態様で利用者に表示する。
【００６５】
ＲＳＳ情報記憶手段１２に記憶されたサマリー情報のＵＲＬは、システム所有とユーザー所有とに区別して記憶されている。クライアントＰＣ９０は、このシステム所有のＵＲＬを更新するシステム所有ＵＲＬ更新手段を備えている。
【００６６】
図１９は、サマリー情報リーダソフトウェアの操作画面の一例を示す模式図である。画面左には、ＲＳＳ情報記憶手段１２に記憶されたサマリー情報のＵＲＬに対応するタイトルが表示される。このタイトルは、ＵＲＬに従って取得されたサマリー情報のchannel要素中のtitle要素で示されるものであり、システム所有のものとユーザー所有のものに区別して表示される。例えば、システム所有のものは、項目「オフィシャル」の下に並べて表示され、ユーザー所有のものは項目「パーソナル」の下に並べて表示される。
【００６７】
この操作画面左側のサマリー情報のタイトルのいずれかを選択すると、当該サマリー情報に記載された項目が操作画面右上に表示される。この表示は例えば、item要素のtitle要素で示されるタイトルで、dc:dateで示される日時情報と共にリスト表示される。
【００６８】
操作画面右上にリスト表示された項目の一つを選択すると、操作画面右下にその項目のdescription要素で示される説明文が表示される。また、リスト表示された項目の一つをダブルクリックすると、ウェブブラウザを用いてrdf:about属性の値のＵＲＬで示されるリソースを画面に表示する。
【００６９】
サマリー情報リーダソフトウェアは、サマリー情報を所定の間隔で自動的に取得しなおし、サマリー情報に新たに追加された項目を検知すると、所定の態様でユーザーに通知する機能を持つ。図２０は、例えば、「全社お知らせ」のサマリー情報に、あらたにtitle要素で示されるタイトルが「事業部制の導入」である項目が追加されていた場合のクライアントＰＣ９０の画面表示例を示す模式図である。追加された項目を通知する表示として例えば、画面の片隅に所定の時間だけメッセージ９４が表示される。
【００７０】
システム所有ＵＲＬ更新手段は、定期的にあらかじめ指定されＲＳＳ情報記憶手段１２に記憶されたＵＲＬ（ソースサマリー参照情報）に基づいてＲＳＳ情報サーバ９２にアクセスし、最新のＲＳＳ情報を取得する。このＲＳＳ情報はシステム所有のＵＲＬ（一般サマリー参照情報）からなるサマリー情報（ソースサマリー情報）である。このＲＳＳ情報サーバ９２のＲＳＳ情報に変更があった場合、システム所有ＵＲＬ更新手段は、取得した当該ＲＳＳ情報に記載のＵＲＬを、ＲＳＳ情報記憶手段１２にてシステム所有として記憶されているＵＲＬと入れ替える。図２１は、例えば「横浜支社」というサマリー情報の提供が廃止され、新たに「販売事業本部」と「法人営業部」というサマリー情報の提供が開始された場合のクライアントＰＣ９０の操作画面の表示例を示す模式図である。
【００７１】
なお、ＲＳＳ情報サーバ９２にて保持するＲＳＳ情報はサマリー情報の形式で無くても良いことは言うまでもない。また、ＲＳＳ情報は、あらかじめファイルとして保持しておいても良いし、クライアントＰＣ９０のＲＳＳリーダからのアクセスに対してデータベース等の情報から動的に生成しても良い。ＲＳＳ情報は全ての利用者に対して同一になるよう構成してもよいし、利用者によって異なるよう構成しても良い。
【００７２】
以上のようにしてネットワーク８を経由して、ＲＳＳ情報記憶手段１２に記憶されたシステム所有のサマリー情報のＵＲＬを変更することができる。本実施形態では、クライアントＰＣ９０のサマリー情報リーダソフトウェアからＲＳＳ情報サーバ９２がサマリー情報の追加変更の指示を取得するプル型を採用しているので、管理者は複数のクライアントのクライアントＰＣ９０を管理して個別に指示を送る必要がなく、管理の手間が低減でき好都合である。
【００７３】
利用者がサマリー情報リーダソフトウェアを操作して、サマリー情報のＵＲＬの追加変更を指示すると、ＲＳＳ情報記憶手段１２にユーザー所有に区別されて記憶されたサマリー情報のＵＲＬのみが追加変更できる。利用者がサマリー情報リーダソフトウェアを操作して、サマリー情報のＵＲＬの削除を指示すると、当該サマリー情報がユーザー所有であれば削除されるが、システム所有であれば図２２に例示するようにエラーメッセージが表示され削除されない。
【００７４】
従って、利用者は必要に応じてサマリー情報を追加削除できるが、誤ってシステム所有のサマリー情報ＵＲＬを削除してしまい、伝達されるべき情報にアクセスできなくなるという事態を回避することができる。
【００７５】
なお、システム所有のサマリー情報の追加削除の仕方としては、上述の構成の他、管理者にクライアントＰＣ９０に記憶されたシステム所有に関するサマリー参照情報を更新する権限を与え、管理者がＲＳＳ情報サーバ９２等からネットワーク８を介してクライアントＰＣ９０にアクセスし、遠隔操作でシステム所有に関するサマリー参照情報の追加削除を行うという構成も可能である。
【図面の簡単な説明】
【００７６】
【図１】第１の実施形態に係るネットワークシステムの概略の構成図である。
【図２】ＭＦＰの概略の構成を示す機能ブロック図である。
【図３】ＲＳＳテーブルの一例を示す説明図である。
【図４】ＲＳＳテーブルに記憶されたＵＲＬに基づいて取得されたサマリー情報の一例のＸＭＬによる記述を示す説明図である。
【図５】ＲＳＳテーブルに記憶されたＵＲＬに基づいて取得されたサマリー情報の別の例のＸＭＬによる記述を示す説明図である。
【図６】サマリー情報閲覧手段によってＵＩに表示されたＲＳＳのリストの一例を示す模式図である。
【図７】印刷ダイアログ画面の一例を示す模式図である。
【図８】ログイン画面の一例を示す模式図である。
【図９】ＭＦＰから返信されたＲＳＳテーブルの内容を一覧表示する編集画面の一例を示す模式図である。
【図１０】追加登録後のＲＳＳテーブルを示す説明図である。
【図１１】追加登録後にサマリー情報閲覧手段によってＵＩに表示されるＲＳＳのリストを示す模式図である。
【図１２】第２の実施形態に係るネットワークシステムの概略の構成図である。
【図１３】電子ポスターの概略の構成を示す機能ブロック図である。
【図１４】「総務ニュース２４０号」を表示する電子ポスターの画面の模式図である。
【図１５】管理者ＰＣに表示される、電子ポスターから返信されたＲＳＳテーブルの内容を含んだ編集画面の一例を示す模式図である。
【図１６】追加・更新後に管理者ＰＣに表示される編集画面の一例を示す模式図である。
【図１７】「キックオフミーティング」を表示する電子ポスターの画面の模式図である。
【図１８】第３の実施形態に係るネットワークシステムの概略の構成図である。
【図１９】サマリー情報リーダソフトウェアの操作画面の一例を示す模式図である。
【図２０】あらたに項目が追加された場合のクライアントＰＣの画面表示例を示す模式図である。
【図２１】システム所有のＵＲＬの追加・削除が行われた後のクライアントＰＣの操作画面の表示例を示す模式図である。
【図２２】システム所有のＵＲＬの削除を指示したためにエラーメッセージが表示されたクライアントＰＣの操作画面の一例を示す模式図である。
【符号の説明】
【００７７】
２  ＭＦＰ、４  Ｗｅｂサーバ、６  管理者コンピュータ、８  ネットワーク、１０  ＵＩ、１２  ＲＳＳ情報記憶手段、１４  通信手段、１６  ＲＳＳ情報遠隔編集手段、１８  利用者認証手段、２０  サマリー情報閲覧手段、２２  ブラウズ手段、２４  印刷手段  ７０  電子ポスター、７２  表示手段、７４  記憶手段、９０  クライアントＰＣ、９２  ＲＳＳ情報サーバ。
【図１】
2007115137.tif 000003
【図２】
2007115137.tif 000004
【図３】
2007115137.tif 000005
【図４】
2007115137.tif 000006
【図５】
2007115137.tif 000007
【図６】
2007115137.tif 000008
【図７】
2007115137.tif 000009
【図８】
2007115137.tif 000010
【図９】
2007115137.tif 000011
【図１０】
2007115137.tif 000012
【図１１】
2007115137.tif 000013
【図１２】
2007115137.tif 000014
【図１３】
2007115137.tif 000015
【図１４】
2007115137.tif 000016
【図１５】
2007115137.tif 000017
【図１６】
2007115137.tif 000018
【図１７】
2007115137.tif 000019
【図１８】
2007115137.tif 000020
【図１９】
2007115137.tif 000021
【図２０】
2007115137.tif 000022
【図２１】
2007115137.tif 000023
【図２２】
2007115137.tif 000024